(57)【特許請求の範囲】
【請求項１】
枠体とこれに周縁部分が取り付けられて張設される膜状部材とから成る構造物において、前記枠体に対向する形状に形成されると共に少なくとも前記枠体との対向面とは逆側の面が覆われるように前記膜状部材に取り付けられる内枠体と、前記枠体と前記内枠体との対向面のいずれか一方の面に設けられる複数の係合ピンと、前記枠体または前記内枠体との対向面のいずれか一方の面であって前記係合ピンと対向する位置に設けられて前記係合ピンが嵌合する係合孔と、前記係合孔に嵌った前記係合ピンの抜け方向の移動を妨げるように前記係合ピンと前記係合孔のいずれか一方または双方に形成される係合部とを備え、前記係合ピンを前記係合孔に圧入することで前記膜状部材が前記構造物として必要な弾力性を発揮させる張力が与えられて前記枠体に取り付けられ、さらに、前記枠体と前記内枠体との対向面のいずれか一方の面に凸部を設けるとともに他方の面に前記凸部が嵌合する凹部を設け、前記係合ピンと前記枠体又は前記内枠体との間のクリアランスよりも前記枠体の凸部又は凹部と前記内枠体の凹部又は凸部との間のクリアランスを小さくして前記膜状部材の張力によって前記係合ピンが前記枠体又は前記内枠体に接触するより先に前記枠体と前記内枠体とが接触するようにしたことを特徴とする膜状部材の取付構造。
【請求項２】
椅子の座あるいは背凭れ等を形成する枠体とこれに周縁部分が取り付けられ張設される膜状部材とから成る構造物において、前記枠体に対向する形状に形成されると共に少なくとも前記枠体との対向面とは逆側の面が覆われるように前記膜状部材に取り付けられる内枠体と、前記枠体と前記内枠体との対向面のいずれか一方の面に設けられる複数の係合ピンと、前記枠体または前記内枠体との対向面のいずれか一方の面であって前記係合ピンと対向する位置に設けられて前記係合ピンが嵌合する係合孔と、前記係合孔に嵌った前記係合ピンの抜け方向の移動を妨げるように前記係合ピンと前記係合孔のいずれか一方または双方に形成される係合部とを備え、前記係合ピンを前記係合孔に圧入することで前記膜状部材が前記構造物として必要な弾力性を発揮させる張力が与えられて前記枠体に取り付けられ、さらに、前記枠体と前記内枠体との対向面のいずれか一方の面に凸部を設けるとともに他方の面に前記凸部が嵌合する凹部を設け、前記係合ピンと前記枠体又は前記内枠体との間のクリアランスよりも前記枠体の凸部又は凹部と前記内枠体の凹部又は凸部との間のクリアランスを小さくして前記膜状部材の張力によって前記係合ピンが前記枠体又は前記内枠体に接触するより先に前記枠体と前記内枠体とが接触するようにしたことを特徴とする膜状部材の取付構造。
【請求項３】
前記係合孔は雌ねじとして形成され、前記係合ピンには前記雌ねじと係合する凹凸が軸方向に連続して形成されてなることを特徴とする請求項１または２記載の膜状部材の取付構造。
【請求項４】
前記膜状部材は袋状に形成されて前記内枠体を内包することを特徴とする請求項１から３のいずれかに記載の膜状部材の取付構造。
【請求項５】
前記内枠体には、ひだを有する樹脂ピンが前記係合ピンとして設けられることを特徴とする請求項４に記載の膜状部材の取付構造。
【発明の詳細な説明】
【０００１】
【発明の属する技術分野】
本発明は、膜状部材の取付構造に関する。さらに詳述すると、本発明は、膜状部材をパーテーション（Partition）の弾力壁材として、あるいは椅子の座あるいは背凭れ等として機能する構造物に当該構造物の弾性支持要素として容易に取り付けるための取付構造に関する。
【０００２】
【従来の技術】
図９及び図１０に示すようなパイプフレーム１０１によって構成される脚部に座１０３が直接取り付けられる椅子１０２が知られている（実公平８−８６７３号参照）。この椅子１０２の座１０３は、パイプフレーム１０１に溶接された受け金具１０８の上にボルト１０９によりねじ止め固定された枠状内枠体１０４と、該枠状内枠体１０４に一体化されたメッシュシートから成る膜状部材１０５と、該膜状部材１０５に載置されたクッション１０６と、クッション１０６及び枠状内枠体１０４を覆って枠状内枠体１０４の外側から裏側に回り込んで止着された上張地１０７とを備える。なお、図１０中、符号１１０はボルト１０９に螺合するナット、符号１１１は枠状内枠体１０４のナット受け孔を示す。
【０００３】
そして、膜状部材１０５を一体化した枠状内枠体１０４、即ちいわゆるシェル状の構造物は、インサート成形により形成される。この形成は例えば特公平７−３７０４９号公報に開示されるように、図１１に示すような金型１１２の外部に金型１１２を挟むように配置した一対のクランプ機構１１３を使用して、膜状部材１０５を挟持して金型１１２の間に位置させる。このとき、張力付与機構１１４によりクランプ機構１１３を金型１１２から離す方向（図中矢印で示す）に引っ張るようにして、膜状部材１０５に対して座１０３として必要な張力を与えておく。そして、各金型１１２を型締めして射出成形を行うことにより、枠状内枠体１０４と膜状部材１０５とを一体化する。さらに、枠状内枠体１０４が硬化してから金型１１２より取り外して、枠状内枠体１０４の周縁からはみ出した膜状部材１０５を切り取る。これにより、構造物が完成する。
【０００４】
また、図１２に示すように、枠状内枠体を内枠１２１と外枠１２２とで構成し、膜状部材１０５を予めクランプ機構１２０で固定しておいて、内枠１２１と外枠１２２とで膜状部材１０５を挟み込み、ねじ止め等することで、テンションを付与した状態で膜状部材１０５を枠状内枠体に固定することも行われている。
【０００５】
更に、パーテーション（Partition）の分野においても、壁材としてメッシュ、フィルム若しくは布地などの膜状部材を採用し、鋼板や板材などの硬質材を採用する場合に受ける硬質な印象に代えて、柔らかく温かな印象と触感・材質感を与えることが考えられている。この場合、膜状部材を弛ませずにフレームに取り付けることが必要である。そこで、膜状部材を引っ張って一定の張力をかけた状態でフレームに対して取り付けるため、例えば図１２に示される椅子の座の製造時と同様に、重ね合わされる二重フレーム材の間に引っ張られた膜状部材を挟み付けるようにしてビス止めなどで固定することが考えられる。更に、膜状部材のフレームへの固定の間にもフレームの外で膜状部材を引っ張って張力を付与し続けるため、取付後に膜状部材の周縁の一部あるいは全部がフレームからはみ出ることとなる。そこで、膜状部材のフレームからはみ出た周縁部を覆い隠して見栄えを良くするための端末処理として、例えば周縁部分を覆う飾りフレームなどが必要となる。
【０００６】
【発明が解決しようとする課題】
しかしながら、図９から図１１に示した膜状部材１０５を枠状内枠体１０４に樹脂一体成形により取り付ける方法では、高価な金型投資が必要となりコスト高となってしまう。一方、図１２に示した膜状部材１０５の取付方法では、取付以前に膜状部材１０５を予め固定しておく必要があるなど組み立て作業性に手間がかかりコスト高となる。
【０００７】
このことは、パーテーションにおいても同様であり、組み立てのための専用の治具や設備を必要とすると共に、組み立て作業性に手間がかかりコスト高となる問題を有している。また、部品点数も多くコスト高となるし、膜状部材からなる弾力壁材を採用する利点も生かし切れない問題を有している。即ち、膜状部材の材質や色、デザインなどを消費者の好みなどに応じて自由に変更できないなどの問題を有している。
【０００８】
そこで本発明は、椅子の座や背凭れ等として機能する構造物に当該構造物の弾性支持要素として、あるいはパーテーションの弾力壁材として、膜状部材を特別な治具や工具を必要とせずに簡単に装着・脱着できる膜状部材の取付構造を提供することを目的とする。また、本発明は、椅子の座や背凭れ等の弾性支持要素としてあるいはパーテーションの弾力壁材として必要な弾力性並びに張力を膜状部材に与えて当該構造物などに簡易かつ低コストに膜状部材を取り付けることができる膜状部材の取付構造を提供することを目的とする。また、本発明は、外部から取付構造を見せずに外観を良好とし尚且つ十分な強度を有する膜状部材の取付構造を提供することを目的とする。
【０００９】
【課題を解決するための手段】
かかる目的を達成するため、請求項１記載の発明は、枠体とこれに周縁部分が取り付けられて張設される膜状部材とから成る構造物において、枠体に対向する形状に形成されると共に少なくとも枠体との対向面とは逆側の面が覆われるように膜状部材に取り付けられる内枠体と、枠体と内枠体との対向面のいずれか一方の面に設けられる複数の係合ピンと、枠体または内枠体との対向面のいずれか一方の面であって係合ピンと対向する位置に設けられて係合ピンが嵌合する係合孔と、係合孔に嵌った係合ピンの抜け方向の移動を妨げるように係合ピンと係合孔のいずれか一方または双方に形成される係合部とを備え、係合ピンを係合孔に圧入することで膜状部材が構造物として必要な弾力性を発揮させる張力が与えられて枠体に取り付けられ、さらに、枠体と内枠体との対向面のいずれか一方の面に凸部を設けるとともに他方の面に凸部が嵌合する凹部を設け、係合ピンと枠体又は内枠体との間のクリアランスよりも枠体の凸部又は凹部と内枠体の凹部又は凸部との間のクリアランスを小さくして膜状部材の張力によって係合ピンが枠体又は内枠体に接触するより先に枠体と内枠体とが接触するようにしている。
【００１０】
したがって、膜状部材に取り付けられた内枠体を枠体に沿うように重ねながら係合ピンを係合孔に圧入していくことで、膜状部材は構造物として必要な弾力性を発揮させる張力が付与されながら枠体に取り付けられる。しかも、内枠体における少なくとも枠体との対向面と逆側の面は膜状部材で覆われ、係合ピンおよび係合孔および取付面は外から見えないので、外部から全く取付構造が見えず、外観も美しいものとなる。さらに、係合部によって係合ピンの抜け方向（即ち、圧入方向の逆方向）の移動が妨げられるので、膜状部材の枠体からの浮き上がりが防止される。また、膜状部材の張力によって係合ピンが枠体又は内枠体に接触するより先に枠体と内枠体とが接触するように構成しているので、膜状部材に作用する張力に対しては、枠体と内枠体とが係合することで堪えることができる。換言すれば、膜状部材の張力によるせん断力は枠体と内枠体とが受け持ち、係合ピンに作用するせん断力を無くす若しくは十分に低減することができる。そして、係合ピンは、係合部によって強力に係合孔に嵌合されて、専ら膜状部材と内枠体を枠体に取り付け、枠体から浮き上がるのを防止するために機能する。
【００１１】
また、請求項２記載の発明は、椅子の座あるいは背凭れ等を形成する枠体とこれに周縁部分が取り付けられ張設される膜状部材とから成る構造物において、枠体に対向する形状に形成されると共に少なくとも枠体との対向面とは逆側の面が覆われるように膜状部材に取り付けられる内枠体と、枠体と内枠体との対向面のいずれか一方の面に設けられる複数の係合ピンと、枠体または内枠体との対向面のいずれか一方の面であって係合ピンと対向する位置に設けられて係合ピンが嵌合する係合孔と、係合孔に嵌った係合ピンの抜け方向の移動を妨げるように係合ピンと係合孔のいずれか一方または双方に形成される係合部とを備え、係合ピンを係合孔に圧入することで膜状部材が構造物として必要な弾力性を発揮させる張力が与えられて枠体に取り付けられ、さらに、枠体と内枠体との対向面のいずれか一方の面に凸部を設けるとともに他方の面に凸部が嵌合する凹部を設け、係合ピンと枠体又は内枠体との間のクリアランスよりも枠体の凸部又は凹部と内枠体の凹部又は凸部との間のクリアランスを小さくして膜状部材の張力によって係合ピンが枠体又は内枠体に接触するより先に枠体と内枠体とが接触するようにしている。
【００１２】
したがって、係合孔に係合ピンを圧入するだけで、椅子の座、背凭れ、ヘッドレスト、肘パネル等として機能する構造物に弾性支持要素として膜状部材を取り付けることができる。しかも、内枠体における枠体との対向面と逆側の面は膜状部材で覆われ、係合ピンおよび係合孔および取付面は外から見えないので、外部から全く取付構造が見えず、外観も美しいものとなる。さらに、係合部によって係合ピンの抜け方向（即ち、圧入方向の逆方向）の移動が妨げられるので、着座に伴う荷重が繰返し作用しても、膜状部材の枠体からの浮き上がりが防止される。また、膜状部材の張力によって係合ピンが枠体又は内枠体に接触するより先に枠体と内枠体とが接触するように構成しているので、膜状部材に作用する張力に対しては、枠体と内枠体とが係合することで堪えることができる。換言すれば、膜状部材の張力によるせん断力は枠体と内枠体とが受け持ち、係合ピンに作用するせん断力を無くす若しくは十分に低減することができる。そして、係合ピンは、係合部によって強力に係合孔に嵌合されて、専ら膜状部材と内枠体を枠体に取り付け、枠体から浮き上がるのを防止するために機能する。
【００１３】
また、請求項３記載の発明は、請求項１または２記載の膜状部材の取付構造において、係合孔は雌ねじとして形成され、係合ピンには雌ねじと係合する凹凸が軸方向に連続して形成されるようにしている。この場合、雌ねじにおけるねじ山と係合ピンにおける凹凸とが噛み合い係合して、係合ピンの抜け方向の移動を強力に妨げる。しかも、係合ピンを係合孔に圧入した後に係合ピンを取り外す必要が生じたときは、係合ピンを軸の周方向に回転させることで、係合ピンを磨耗・破損等することなく係合孔から取り外すことができる。
【００１５】
また、請求項４記載の発明は、請求項１から３のいずれかに記載の膜状部材の取付構造において、膜状部材は袋状に形成されて内枠体を内包するものとしている。この場合、内枠体が袋状の膜状部材で覆われ、更に係合ピンおよび係合孔および取付面も膜状部材で覆われるので、外部から全く取付構造が見えないように構成でき、構造物の外観も美しいものとなる。また、膜状部材と内枠体の取り付け・取り外し作業も容易となる。
【００１６】
また、請求項５記載の発明は、内枠体には、ひだを有する樹脂ピンが係合ピンとして設けられるようにしている。この場合、係合ピンの素材として合成樹脂を採用することで、例えば射出成形によりひだ付きの係合ピンを容易に成形することができる。また、例えば金属製の係合ピンを用いた場合に比較して素材が軟らかいことから、係合ピンを係合孔に圧入することによる係合部の磨耗が少なく、係合ピンの複数回使用が可能となる。ここで、膜状部材の張力に対しては、枠体と内枠体とが接触し係合することで堪えるので、係合ピンに樹脂ピンを使用してもピンがせん断されることがない。また、内枠体は膜状部材に内包されるので係合ピンの頭部を外部から隠すことができ、構造物の外観を良好にする。また、係合ピンのひだと雌ねじにおけるねじ山とが噛み合い係合して、係合ピンの抜け方向の移動を強力に妨げる。しかも、係合ピンを係合孔に圧入した後に係合ピンを取り外す必要が生じたときは、係合ピンを軸の周方向に回転させることで、係合ピンを磨耗・破損等することなく係合孔から取り外すことができる。
【００１７】
【発明の実施の形態】
以下、本発明の構成を図面に示す実施形態に基づいて詳細に説明する。
【００１８】
図１から図５に、本発明の膜状部材の取付構造の一実施形態を椅子の背凭れに適用した例について説明する。本実施形態における膜状部材２の取付構造では、背凭れ１の骨格を形成する枠体４と、背凭れ１の背凭れ面を形成する膜状部材２と、枠体４に対向する形状に形成されると共に少なくとも枠体との対向面とは逆側の面が覆われるように膜状部材２に取り付けられる内枠体３と、枠体４と内枠体３との対向面のいずれか一方の面に設けられる複数の係合ピン５と、枠体４または内枠体３との対向面のいずれか一方の面であって係合ピン５と対向する位置に設けられて係合ピン５が嵌合する係合孔６と、係合孔６に嵌った係合ピン５の抜け方向の移動を妨げるように係合ピン５と係合孔６のいずれか一方または双方に形成される係合部７とを備え、係合ピン５を係合孔６に圧入することで、膜状部材２が背凭れ（構造物）１として必要な弾力性を発揮させる張力が与えられて枠体４に取り付けられるようにしている。
【００１９】
枠体（フレーム）４の材質は特に限定されるものではないが、例えば金属製であり、めっき処理が施された鋼板や、軽量且つ剛性に優れるアルミニウム合金や亜鉛ダイキャスト等の利用が好ましい。ただし、金属に限らず例えば構造材として適度な剛性を有する樹脂等であっても良い。また、枠体４の形状は、背凭れ１として求められる面を形成するのに十分な大きさを有するものであれば、特に限定されるものではなく、種々の形状を採用できる。例えば矩形状が一般的であるが、美的処理や人間工学等の観点から湾曲その他の形状としても良く、また必ずしも閉じた枠を形成しなくても良い。例えば本実施形態における枠体４は、正面は矩形状で側面は着座者の腰の辺りに向かってやや出っ張るように湾曲した形状に形成されている（図５参照）。
【００２０】
本実施形態における膜状部材２は、例えば袋状に形成されて内枠体３を内包するようにしている。この膜状部材２は、背凭れ（構造物）１の弾性支持要素として枠体４に取り付けられ、それ自体で背凭れ１の面を構成する上張地として機能する。膜状部材２としては、必要に応じて適宜選択される適度な弾力性と張力を発揮し得る素材、フィルム（例えばポリエステルエラストマーやポリウレタンエラストマー等の樹脂フィルムや、更に樹脂フィルムをポリアミド等の繊維やタフタ等の織物で補強したもの等）、布地、不織布等が適用可能であるが、特にメッシュシートであることが好ましい。中でも、リサイクル可能なオレフィン系樹脂製あるいはポリエステル製メッシュシートが好ましく、例えば、ポリエステル糸とエラストマ性ポリエステル糸との織物（例えば、デュポン社製  商品名ダイメトロールとして知られているメッシュシート）の使用が好ましい。このポリエステル製メッシュシートは、へたりが少ない。そして、メッシュシートであることにより、弾力性や通気性が良好であるので、座り心地の良い快適な座を得ることができる。しかしながら、膜状部材２としては、特に上述のメッシュシートに限定されるものではなく、構造物（例えば本実施形態では背凭れ）１の弾性支持要素として十分な剛性と弾力性が発揮される材質・構造・組成のものが適宜使用される。
【００２１】
内枠体３は、枠体４の全部または一部に対向するように、換言すれば枠体４の全部または一部と重なり得る形状に形成される。例えば本実施形態における内枠体３は、略矩形状の枠体４の全部に重なり得るように矩形状に形成される。ここで、内枠体３は、例えば一体形状のものとしても良く、または分割された複数の部品から成るものとしても良い。例えば本実施形態における内枠体３は、コ型に形成された二つの部品を組み合わせることで矩形状に形成されるものとしている。この場合、例えば二つの部品を組み合わせる位置を調整可能に構成することで、内枠体３を必要な大きさに調整することができる。また、内枠体３は、袋状の膜状部材２に内包されて膜状部材２を枠体４と重なり得る形状に保持し得る剛性と、湾曲した枠体４への重ね合わせが容易であるようにある程度の変形を許容する柔軟性を兼ね備えるものが好ましい。内枠体３の材質や厚み等は、当該剛性と柔軟性を兼ね備えるように選択できる。内枠体３の材質としては、例えば適度な剛性と弾性を有する合成樹脂等の利用が好ましい。ただし、内枠体３の材質が合成樹脂に限定されるものでは無く、所望の剛性と柔軟性を兼ね備える材質であれば良い。以下、本実施形態では袋状の膜状部材２に内包される内枠体をインナーシェル３と呼ぶ。
【００２２】
例えば本実施形態における係合孔６は、枠体４に雌ねじとして形成されている。この場合、タップ等のねじ切り具によって、ねじ山による凹凸を係合孔６に容易に形成することができる。当該ねじ山による凹凸は、係合孔６における係合部（以下、孔側係合部７ｂと呼ぶ。）となる。なお、本実施形態における係合孔６は、枠体４を貫通しないものとしている。この場合、膜状部材２を取り付けることで係合孔６が隠されて、外部から全くねじ孔が見えないようにできる。
【００２３】
本実施形態における係合ピン５は、例えば樹脂ピンであり、雌ねじ即ち孔側係合部７ｂと係合する凹凸（即ち係合ピン５側の係合部７）としてひだ７ａが形成されている（図２参照）。係合ピン５の素材として合成樹脂を採用することで、例えば射出成形によりひだ７ａ付きの係合ピン５を容易に成形することができる。また、例えば金属製の係合ピンを用いた場合に比較して素材が軟らかいことから、係合ピン５を係合孔６に圧入することによる係合部７の磨耗が少なく、係合ピン５の複数回使用が可能となる。ただし、係合ピン５の材質が合成樹脂に限定されるものではなく、例えば鉄やアルミニウム合金等の金属を用いても良い。この場合は、係合ピン５自体の強度（例えば許容せん断応力等）が高まる等の利点がある。
【００２４】
ひだ７ａの幅や間隔は雌ねじのねじ山と係合するように設定されることが好ましい。このひだ７ａは、例えば係合ピン５の周方向および軸方向に間隔をあけて連続的に形成されている。ひだ７ａが周方向に間欠的に形成されることで、係合ピン５を圧入する際の抵抗力が過大となるのが回避されて、圧入時における係合ピン５の破損等を回避することができる。ただし、係合ピン５を圧入する際の抵抗力が過大とならない突出量や形状とすることで、例えば係合ピン５の軸の全周に係合部７を形成するようにしても良いのは勿論である。また、ひだ７ａは、係合ピン５の先端側の面が当該先端に向かって下がるように傾斜した曲面に形成される一方、係合ピン５の抜け方向側の面が切り立った形状に形成されていて、いわゆる返りを構成している。したがって、ひだ７ａは係合ピン５を係合孔６に圧入する際に変形し易く、係合孔６に嵌った係合ピン５を抜く方向には変形し難い。したがって、係合ピン５を係合孔６に圧入する際にはひだ７ａが変形して係合ピン５を圧入する際の抵抗を和らげるとともに、係合ピン５の抜け方向の移動に対しては大きな摩擦力を発生させて係合ピン５が係合孔６から抜けてしまうのを強力に防止する。
【００２５】
係合ピン５は、例えばインナーシェル３に設けられたピン用孔８に取り付けられる。係合ピン５には係止部９が設けられており、係合ピン５の頭部１０と係止部９とがピン用孔８の縁８ａに引っ掛ることにより、係合ピン５がインナーシェル３に保持されて、抜け落ちることがないようにしている。なお、係合ピン５の頭部１０と係止部９とでピン用孔８の縁８ａを挟み込むことで、係合ピン５がインナーシェル３に固着されるようにしても良い。また、係止部９は、係合ピン５の先端側の面が当該該先端に向かって下がるように傾斜した曲面に形成される一方、係合ピン５の抜け方向側の面が切り立った形状に形成されていて、いわゆる返りを構成している。したがって、係合ピン５はピン用孔８に押し込んで取り付け易く、しかも抜け難い。また、頭部１０は例えば扁平状でありピン用孔８に収容されてインナーシェル３から出っ張らないようにしている。また、係合ピン５の頭部１０には、ねじ回し用の十字の溝１１が形成されている。したがって、係合ピン５を係合孔６に圧入した後に、ねじ回し（プラスドライバ）によって係合ピン５を取り外すことができる。この場合、係合ピン５を磨耗や破損等することなく取り外すことができ、係合ピン５の複数回の使用を可能にする。勿論、係合部７による抵抗力に抗して、例えば抉りによって係合ピン５を取り外すことも可能である。
【００２６】
また、本実施形態では、枠体４と内枠体（インナーシェル）３との対向面のいずれか一方の面に凸部１２を設けるとともに他方の面に凸部１２が嵌合する凹部１３を設けて、膜状部材２の張力によって係合ピン５がインナーシェル３に接触するより先に枠体４とインナーシェル３とが接触するようにしている。例えば本実施形態では、図１及び図３に示すように、枠体４における係合孔６の周縁を円筒状に突出させて凸部１２を形成し、一方、当該凸部１２がクリアランス（隙間、遊び）Ｌ１を持って挿入される凹部１３がインナーシェル３に形成されている。ここで、枠体４とインナーシェル３とのクリアランスＬ１は、係合ピン５とインナーシェル３とのクリアランスＬ２よりも小さいものとしている（図３参照）。したがって、膜状部材２の張力によりインナーシェル３が当該張力方向に移動すると、インナーシェル３は係合ピン５に接触する前に枠体４の凸部１２に接触する。このため、膜状部材２の張力によるせん断力は、凸部１２と凹部１３が受け持つこととなり、係合ピン５へのせん断力を無くす若しくは十分に低減することができる。なお、凸部１２と凹部１３は、例えば係合孔６及び係合ピン５が設けられている部分全てに設けても良いが、膜状部材２の張力に耐え得る構成であれば、その一部に設けるものであっても良い。例えば膜状部材２の張力が特に大きくなる部分（例えば背凭れであれば着座者の腰の付近、座であれば着座者の尻の付近等）であって係合孔６及び係合ピン５が設けられている部分に、凸部１２と凹部１３を設けるようにしても良い。
【００２７】
本実施形態における背凭れ１は、例えば次に示す手順で、組み立てられる。先ず、インナーシェル３のピン用孔８に係合ピン５が押し込まれて取り付けられる。そして、このインナーシェル３は、袋状に形成された膜状部材２に収容される。この際、インナーシェル３が芯材となって膜状部材２は枠体４と重なり得る形状に保持される。また、膜状部材２の枠体４と対向する側であって係合ピン５が位置する場所には予め孔が開けられていて、インナーシェル３に取り付けられた複数の係合ピン５が枠体４側に突出するようにしている。なお、インナーシェル３を膜状部材２に収容した後に係合ピン５が位置する場所に孔を開けて、係合ピン５が枠体４側に突出するようにしても良い。インナーシェル３は適度な柔軟性を有しており、枠体４にぴったり沿うように変形することができる。インナーシェル３を内包した膜状部材２を、枠体４に沿うように重ねながら係合ピン５を枠体４に設けられた係合孔６に圧入していくことで、膜状部材２は、構造物（背凭れ）１として必要な弾力性を発揮させる張力が付与されながら枠体４に取り付けられる。この背凭れ１は、例えば椅子１４の背支桿１５に取り付けられる（図５参照）。
【００２８】
一方、枠体４から膜状部材２を取り外す必要があるときは、インナーシェル３を内包する膜状部材２と枠体４との間に例えばマイナスドライバー等を差し込んで抉じることによって、枠体４から膜状部材２を取り外すことができる。これにより、膜状部材２が汚れたり損傷した場合、或いは用途や好みに合わせて膜状部材２の材質や色、デザインなどを変更したい場合には、簡単に取り外して洗濯したり交換したりすることができる。また、膜状部材２を廃棄する場合等には、例えば係合ピン５の頭部１０が見えるように袋状の膜状部材２を切り開いて、ねじ回しにより係合ピン５を取り外すことができる。
【００２９】
以上の膜状部材２の取付構造によれば、特別な治具や工具を必要とせずに極めて簡易かつ低コストで膜状部材２を装着・脱着できる。また、インナーシェル３は袋状の膜状部材２で覆われ、更に係合ピン５の頭部１０および係合孔６も膜状部材２で覆われ、しかも取付面及び係合ピン５も外から見えないので、外部から全く取付構造が見えないように構成でき、外観も美しいものとなる。さらに、膜状部材２に対してかかる力を支える張力に対しては、枠体４とインナーシェル３とが接触し係合することで堪えるので、係合ピン５へのせん断力は作用しないか作用しても十分に小さいものとなる。したがって、係合ピン５に樹脂ピンを使用してもピンがせん断されることがない。この場合、係合ピン５は、係合部７によって強力に係合孔６に嵌合されて、専ら膜状部材２とインナーシェル３を枠体４に取り付け、枠体４から浮き上がるのを防止するために機能する。即ち、係合ピン５に設けられたひだ７ａと、係合孔６に設けられた孔側係合部７ｂとが係合して、係合ピン５の抜け方向の移動を妨げる。したがって、本発明によれば、膜状部材２による張力にも十分耐えることができ且つ膜状部材２の枠体４からの浮き上がりを確実に防止できる。
【００３０】
次に、図７及び図８に、本発明の膜状部材２の取付構造をパーテーションに適用した例について説明する。尚、本実施形態においては、上述の実施形態と同様の構成については同一符号を付し、その詳細な説明を省略し、パーテーション特有の構造等について説明する。
【００３１】
この実施形態のパーテーション２１は、膜状部材２を弾力性を有する壁材として採用したもので、パーテーション２１の輪郭形状を形成する枠体４に膜状部材２を張りつめて取り付けることによって構成され、膜状部材２が有する柔らかく温かな印象と触感・材質感を与えるものである。
【００３２】
ここで、枠体４は、膜状部材２の周縁を保持する部材として機能するとともに、パーテーション２１としての形態を定める骨格としても機能するもので、任意の枠形状を採ることができる。枠体４は、特に大きな荷重を支えることが想定される用途の場合を除いて、構造的にはそれほど剛性を有する材質・厚みなどで構成する必要はないが、通常はアルミニウム合金の型押し材や引き抜き材、めっき処理が施された鋼板や管材、軽量且つ剛性に優れる亜鉛ダイキャスト、プラスチック等が主に利用され、場合によっては木材なども使われる。枠体４は、脚部を備えて自立可能とされたり、図示していない取付具を装備して机やテーブルなどの什器類に支持させるようにしても良い。更に、この枠体４は、幾つかに分割可能に形成し、ジョイントなどで連結可能とすることが好ましい。この場合には、運搬時などに、膜状部材２と枠体４とを分離した上に更に枠体４を分割してコンパクトに収納できる。
【００３３】
本実施形態における膜状部材２は、例えば袋状に形成されて内枠体３を内包するようにしている。また、膜状部材２は、椅子の背凭れや座に用いた上述の実施形態の場合とは異なり、構造材としての十分な剛性と弾力性が発揮される材質・構造・組成のものである必要はなく、少なくとも弛みが生じない程度の一定の張力が与えられる材質・構造であれば如何なるものでも採用可能であり、パーテーション２１としての機能や装飾性などの観点から、相応しい材質・構造のものが適宜採用される。例えば、パーテーション２１としての膜状部材２としては、天然繊維や合成繊維から成る布地、織物、不織布、メッシュ、フィルム等のほとんどの素材が使用可能である。例えば、オレフィン系樹脂製あるいはポリエステル樹脂製の生地やメッシュシート例えばポリエステル糸とエラストマ性ポリエステル糸との織物（デュポン社製  商品名ダイメトロールとして知られている）はリサイクル可能であり好ましい。しかも、このダイメトロールはへたりが少なくかつメッシュシートであることにより、弾力性や通気性が良好であるので、長期の使用にも弛まないし、視線を遮るパーテーション２１の働きをしながら、同時に空気の流通を可能として空調の妨げとならず、心地良い快適な環境を作り出すことができる。勿論、他の素材であってもメッシュ構造であれば視線の遮蔽と通気性との両立などの効果を奏することができるし、さらに素材ごとの独特の感触や光沢などが醸し出す優雅さや清涼感などが更に快適な環境を作り出すこととなる。
【００３４】
内枠体３は、枠体４の全部または一部に対向するように、換言すれば枠体４の全部または一部と重なり得るように形成される。例えば本実施形態における内枠体３は、矩形状の枠体４の全部に重なり得るように矩形状に形成される。ここで、内枠体３は、例えば一体形状のものとしても良く、または分割された複数の部品から成るものとしても良い。また、内枠体３は、袋状の膜状部材２に内包されて膜状部材２を枠体４と重なり得る形状に保持し得る剛性と、湾曲した枠体４への重ね合わせが容易であるようにある程度の変形を許容する柔軟性を兼ね備えるものが好ましい。内枠体３の材質や厚み等は、当該剛性と柔軟性を兼ね備えるように選択できる。内枠体３の材質としては、例えば適度な剛性と弾性を有する合成樹脂等の利用が好ましい。ただし、内枠体３の材質が合成樹脂に限定されるものでは無く、所望の剛性と柔軟性を兼ね備える材質であれば良い。
【００３５】
係合部７の形状は、係合孔６に嵌った係合ピン５の抜け方向の移動を妨げるものであれば、特に限定されるものではなく、例えば上述の実施形態のように、係合孔６を雌ねじとして孔側係合部７ｂを形成し、係合ピン５を図２に示すような樹脂ピンとしても良い。なお、係合孔６は、枠体４を貫通しないものとすることが美感上好ましい。この場合、膜状部材２を取り付けることで係合孔６が隠されて、外部から全くねじ孔が見えないようにできる。係合ピン５は、例えば上述の実施形態と同様の構成で、内枠体３に設けられたピン用孔８に取り付けられる。
【００３６】
ここで、上述の実施形態では、枠体４と内枠体３との対向面のいずれか一方の面に凸部１２を設けるとともに他方の面に凸部１２が嵌合する凹部１３を設けて、膜状部材２の張力によって係合ピン５が内枠体３に接触するより先に枠体４と内枠体３とが接触するようにしたが、パーテーション２１においては、このような構成は必ずしも必要ではない。上述の実施形態のような座や背凭れにおける膜状部材２であれば着座時に膜状部材２に大きな外力が作用するが、パーテーション２１における膜状部材２には少なくとも弛みが生じない程度の一定の張力が与えられるのみであって、大きな外力が作用することは一般的に無いからである。ただし、図８に示すように、上述の実施形態と同様に凸部１２及び凹部１３を設けても良いのは勿論である。この場合、膜状部材２に強い張力を付与でき、張りのあるパーテーション２１を構成できる。
【００３７】
以上のように構成されるパーテーション２１は、例えば次に示す手順で、組み立てられる。先ず、内枠体３のピン用孔８に係合ピン５が押し込められて取り付けられる。そして、この内枠体３は、袋状に形成された膜状部材２に収容される。この際、内枠体３が芯材となって膜状部材２は枠体４と重なり得る形状に保持される。また、膜状部材２の枠体４と対向する側であって係合ピン５が位置する場所には予め孔が開けられていて、内枠体３に取り付けられた複数の係合ピン５が枠体４側に突出するようにしている。なお、内枠体３を膜状部材２に収容した後に係合ピン５が位置する場所に孔を開けて、係合ピン５が枠体４側に突出するようにしても良い。内枠体３は適度な柔軟性を有しており、枠体４にぴったり沿うように変形することができる。内枠体３を内包した膜状部材２を、枠体４に沿うように重ねながら係合ピン５を枠体４に設けられた係合孔６に圧入していくことで、膜状部材２は、構造物（パーテーション）２１として必要な弾力性を発揮させる張力が付与されながら枠体４に取り付けられる。
【００３８】
一方、枠体４から膜状部材２を取り外す必要があるときは、内枠体３を内包する膜状部材２と枠体４との間に例えばマイナスドライバー等を差し込んで抉じることによって、枠体４から膜状部材２を取り外すことができる。これにより、膜状部材２が汚れたり損傷した場合、或いは用途や好みに合わせて膜状部材２の材質や色、デザインなどを変更したい場合には、簡単に取り外して洗濯したり交換したりすることができる。また、膜状部材２を廃棄する場合等には、例えば係合ピン５の頭部１０が見えるように袋状の膜状部材２を切り開いて、ねじ回しにより係合ピン５を取り外すことができる。
【００３９】
以上のように構成されるパーテーション２１は、特別な治具や工具を必要とせずに極めて簡易かつ低コストで膜状部材２を装着・脱着できる。しかも、オフィスで簡単に組み立てられ尚かつ分解可能であるので、運搬時の大きさを極端に小さくして搬送コストを圧縮できる。加えて、この膜状部材２の取替はオフィスなどで簡単にできるので、オフィス環境等に応じてあるいはそこで働く人等の好みに合わせて、膜状部材２の材質や色、デザインなどを自由に選択・変更できる。また、膜状部材２・壁材が汚れたり損傷した場合にも、簡単に取り外して洗濯したり交換したりすることができる。更には、部品点数も少なく低コストとなる。さらに、内枠体３は袋状の膜状部材２で覆われ、係合ピン５の頭部１０および係合孔６も膜状部材２で覆われ、しかも取付面及び係合ピン５も外から見えないので、外部から全く取付構造が見えないように構成でき、外観も美しいものとなる。また、図７に示す例ではパーテーション２１を矩形状の平面的なものに構成したが、内枠体３は適度な柔軟性を有しており枠体４にぴったり沿うように変形するので、枠体４が例えば湾曲した３次元形状を有する場合でも、取付構造を外から見せずに膜状部材を取り付けることができる。したがって、従来無い斬新なデザインのパーテーションを提供することが可能である。
【００４０】
なお、上述の実施形態は本発明の好適な実施の一例ではあるがこれに限定されるものではなく、本発明の要旨を逸脱しない範囲において種々変形実施可能である。例えば、椅子の背凭れ１として機能する構造物に本発明を適用するものに限られず、例えば座やヘッドレスト或いは肘パネル等に本発明を適用しても良いのは勿論である。
【００４１】
また、枠体４の材質は必ずしも金属に限らず例えば樹脂であっても良い。例えば枠体４、内枠体３、係合ピン５と膜状部材２とをＰＥＴ（ポリエチレンテレフタレート）やＰＰ（ポリプロピレン）等のオレフィン系樹脂で構成することにより、座や背凭れ１として使用される構成部材を全てオレフィン系樹脂製にして、各パーツ毎に分離せずにそのまま廃棄したり、あるいは粉砕・溶融して射出原材料などとしてリサイクルできるようにしても良い。このことは、パーテーション２１でも同じであり、膜状部材２と枠体４とを同じリサイクル可能な樹脂で構成すれば、各パーツ毎に分離せずにそのまま廃棄したり、あるいは粉砕・溶融して射出原材料などとしてリサイクルできる。
【００４２】
また、上述の実施形態では、膜状部材２としてポリエステル製のメッシュシートを使用した場合について説明したが、これに限定されるものではなく、例えばナイロン製のメッシュシートにしたり、あるいはメッシュシートには限られず、構造物として必要な弾力性及び強度を備えるフィルムやビニルや布地、不織布等の他の材質を採用するようにしても良い。フィルムとしては、例えばポリ塩化ビニリデン製のフィルム（商品名：サランラップ）を使用することができる。
【００４３】
また、膜状部材２を取り付けた構造物は、そのままで椅子の座や背凭れ１等或いはパーテーションとして使用することもできるが、場合によっては膜状部材２の上面及び外側面との全体を覆うように表皮部材を取り付けても良い。また、膜状部材２の上にクッション材を載せて膜状部材２で支えるようにしても良い。この場合、枠体４の上面に露出される膜状部材２の周縁部分を隠すことができ、外観を任意の色や模様にすることができる。
【００４４】
また、係合ピン５と係合孔６のいずれか一方に係合部７が設けられていれば、必ずしも双方に係合部７を設ける必要はない。例えば、係合孔６を雌ねじに形成せずに凹凸のない孔としても良い。また例えば、係合ピン５側を凹凸の無い平滑な表面から成る軸とし、係合孔６の内周面にひだ７ａを設けるようにしても良い。この場合、例えば係合孔６の径方向に拡大・縮小可能に構成されるひだ成形用の型を用い、当該型を縮めた状態で係合孔６に挿入し、係合孔６内で当該型を拡大させて係合孔６の内周面にひだ７ａを形成し、その後、当該型を縮小させて係合孔６から引き抜くようにする。また、合成樹脂製の内枠体３又は枠体４にひだ７ａ付きの係合孔６を設ける場合には、例えば金属製等の剛性の高いひだ成形用の型を、合成樹脂材に打ち込み且つ強制的に引き抜くようにしても良い（いわゆる無理抜き加工）。
【００４５】
また、係合部７の形状は、係合孔６に嵌った係合ピン５の抜け方向の移動を妨げる（係合力・摩擦力を発揮する）ものであれば、特に限定されるものではない。例えば、凹凸を係合ピン５または係合孔６の軸方向または周方向に連続的または間欠的に設けるもの、直線状または螺旋状若しくはジグザグに設けるもの、曲面状にまたは角張らせて設けるもの等々、種々の形状を採用できる。
【００４６】
また、係合ピン５は内枠体３側に設け、係合孔６を枠体４側に設けるものに限らず、係合ピン５を枠体４側に設け、内枠体３側に係合孔６を設けるようにしても良い。また、複数の係合ピン５の一部を内枠体３側に、その他を枠体４側に設けるようにしても良い。この場合、係合ピン５の位置によって膜状部材２を枠体４に取り付ける向きを把握することができ、特に利用者側で椅子を組み立てる場合等に膜状部材２の取り付ける向きを間違えることを防止できる。また、係合ピン５は内枠体３に押し込んで取り付けるものに限定されず、例えば圧入で取り付けるようにしても良く、または内枠体３と係合ピン５とを樹脂一体成形するようにしても良い。
【００４７】
また、膜状部材２は内枠体３を内包するように袋状に形成するものに限られず、例えば内枠体３の周縁を包むように内枠体３に取り付けるようにしても良い。この場合も内枠体３における枠体４との対向面とは逆側の面が膜状部材２で覆われるため、外部から全く取付構造が見えないように構成できる。また、場合によっては、膜状部材２と内枠体３とを樹脂一体成形するようにしても良い。
【００４８】
また、膜状部材２に必要な張力を付与する構成として、例えば枠状に一体成形された剛性の内枠体３に膜状部材２を張設するようにし、枠体４に取り付ける以前においても膜状部材２に必要な張力が付与されるようにしても良い。または、例えば複数の部品から成る内枠体３を膜状部材２を引っ張りながら各部品を枠体４に重ねるようにして係合ピン５を係合孔６に圧入することで、内枠体３を枠体４に取り付ける際に膜状部材２に必要な張力が付与されるようにしても良い。
【００４９】
また、枠体４と内枠体３とが係合する形状は、上述したクリアランスを有する凸部１２と凹部１３に限られない。例えば、枠体４と内枠体３との間のクリアランスＬ１を無くして枠体４と内枠体３とが膜状部材２の張力方向に常時接触しているようにしても良い。また、枠体４と内枠体３とが係合する構成は、上述の実施形態のように枠体４と内枠体３とが対向する面に部分的・間欠的に設けるものに限られず、場合によっては枠体４と内枠体３との対向面の全域に渡って連続的に設けても良い。
【００５０】
【発明の効果】
以上の説明から明らかなように、請求項１記載の膜状部材の取付構造によれば、係合孔に係合ピンを圧入するだけで、膜状部材が枠体に引張られた状態で取り付けられるので、別途クランプ機構等で膜状部材に予めテンションを与えておく必要はなく、極めて簡易かつ低コストで膜状部材を装着・脱着できる。しかも、膜状部材の枠体への取付・取り外しは、専用の治具や設備を必要とせず、人手や簡単な工具の使用で簡単に実施できるので、用途や好みに合わせて膜状部材の材質や色、デザインなどを自由に選択・変更できる。また、膜状部材・壁材が汚れたり損傷した場合にも、簡単に取り外して洗濯したり交換したりすることができる。このことは、例えばパーテーションに適用した場合等に有用である。さらに、内枠体における少なくとも枠体との対向面と逆側の面は膜状部材で覆われ、係合ピンおよび係合孔および取付面は外から見えないので、外部から全く取付構造が見えず、外観も美しいものとなる。しかも、係合部によって係合ピンの抜け方向の移動が妨げられるので、膜状部材が枠体から浮き上がってしまうことが防止され、係合ピンが係合孔から外れてしまうことが防止される。また、膜状部材に対してかかる力を支える張力に対しては、枠体と内枠体とが接触し係合することで堪えるので、係合ピンへのせん断力は作用しないか作用しても十分に小さいものとなる。そして、係合ピンは、係合部によって強力に係合孔に嵌合されて、専ら膜状部材と内枠体を枠体に取り付け、枠体から浮き上がるのを防止するために機能する。したがって、膜状部材による張力にも十分耐えることができ且つ膜状部材の枠体からの浮き上がりを確実に防止できる。
【００５１】
さらに、請求項２記載の膜状部材の取付構造によれば、係合孔に係合ピンを圧入するだけで、膜状部材が枠体に引張られた状態で取り付けられるので、別途クランプ機構等で膜状部材に予めテンションを与えておく必要はなく、極めて簡易かつ低コストで膜状部材を装着・脱着できる。しかも、膜状部材の枠体への取付・取り外しは、専用の治具や設備を必要とせず、人手や簡単な工具の使用で簡単に実施できるので、用途や好みに合わせて膜状部材の材質や色、デザインなどを自由に選択・変更できる。また、膜状部材・壁材が汚れたり損傷した場合にも、簡単に取り外して洗濯したり交換したりすることができる。また、椅子の購入時あるいは使用中に、座や背凭れの材質、膜構造並びに色などを自由に選択することも可能となる。さらに、内枠体における少なくとも枠体との対向面と逆側の面は膜状部材で覆われ、係合ピンおよび係合孔および取付面は外から見えないので、外部から全く取付構造が見えず、外観も美しいものとなる。しかも、係合部によって係合ピンの抜け方向の移動が妨げられるので、膜状部材を弾性支持要素として有する椅子の座、背凭れ、ヘッドレスト、肘パネル等に着座に伴う荷重が繰返し作用しても、膜状部材が枠体から浮き上がってしまうことが防止され、係合ピンが係合孔から外れてしまうことが防止される。また、膜状部材に対してかかる力を支える張力に対しては、枠体と内枠体とが接触し係合することで堪えるので、係合ピンへのせん断力は作用しないか作用しても十分に小さいものとなる。そして、係合ピンは、係合部によって強力に係合孔に嵌合されて、専ら膜状部材と内枠体を枠体に取り付け、枠体から浮き上がるのを防止するために機能する。したがって、膜状部材による張力にも十分耐えることができ且つ膜状部材の枠体からの浮き上がりを確実に防止できる。
【００５２】
さらに、請求項３記載の膜状部材の取付構造によれば、雌ねじにおけるねじ山と係合ピンにおける凹凸とが噛み合い係合して、係合ピンの抜け方向の移動を強力に妨げる。しかも、係合ピンを係合孔に圧入した後に係合ピンを取り外す必要が生じたときは、係合ピンを軸の周方向に回転させることで、係合ピンを磨耗や破損等することなく係合孔から取り外すことができる。これにより、係合ピンを複数回使用することもできる。
【００５４】
また、請求項４記載の膜状部材の取付構造によれば、内枠体が袋状の膜状部材で覆われ、更に係合ピンおよび係合孔および取付面も膜状部材で覆われるので、外部から全く取付構造が見えないように構成でき、構造物の外観も美しいものとなる。また、膜状部材と内枠体の取り付け・取り外し作業も極めて容易となる。
【００５５】
また、請求項５記載の膜状部材の取付構造によれば、係合ピンの素材として合成樹脂を採用することで、例えば射出成形によりひだ付きの係合ピンを容易に成形することができる。さらに素材が軟らかいことから、係合ピンを係合孔に圧入することによる係合部の磨耗が少なく、係合ピンの複数回使用が可能となる。なお、膜状部材の張力に対しては、枠体と内枠体とが接触し係合することで堪えるので、係合ピンに樹脂ピンを使用してもピンがせん断されることがない。加えて内枠体は膜状部材に内包されるので係合ピンの頭部を外部から隠すことができ、構造物の外観が良好となる。
【図面の簡単な説明】
【図１】本発明の膜状部材の取付構造を実現する構造物の一形態を示す図６のＩ−Ｉ線断面図である。
【図２】本発明の膜状部材の取付構造に用いる係合ピンの概略斜視図である。
【図３】枠体と内枠体との係合の構成を説明するための図１の拡大断面図である。
【図４】内枠体に係合ピンを取り付けた状態を示す概略平面図である。
【図５】本発明の膜状部材の取付構造を適用した椅子の背凭れの概略分解組立図である。
【図６】図５における椅子の完成図を示す概略側面図である。
【図７】本発明の膜状部材の取付構造をパーテーションに適用した実施形態を示すもので、パーテーションの概略斜視図である。
【図８】図７に示すパーテーションの平面図であり、膜状部材と枠体との取付構造を部分的に拡大して断面図で示す。
【図９】従来のパイプフレーム椅子を示す斜視図である。
【図１０】図９のＸ−Ｘ線断面図である。
【図１１】従来のメッシュ製座を製造する装置を示す概略縦断面図である。
【図１２】従来の膜状部材の他の取付構造を示す概略構成図である。
【符号の説明】
１  背凭れ（構造物）
２  膜状部材
３  インナーシェル（内枠体）
４  枠体
５  係合ピン
６  係合孔
７  係合部
２１    パーテーション（構造物）
【図１】
0003835741.tif 000002
【図２】
0003835741.tif 000003
【図３】
0003835741.tif 000004
【図４】
0003835741.tif 000005
【図５】
0003835741.tif 000006
【図６】
0003835741.tif 000007
【図７】
0003835741.tif 000008
【図８】
0003835741.tif 000009
【図９】
0003835741.tif 000010
【図１０】
0003835741.tif 000011
【図１１】
0003835741.tif 000012
【図１２】
0003835741.tif 000013